(57)【要約】【課題】操作者に操作状況を告知可能にして、誤操作を抑制する。【解決手段】照明器具を含む１つ以上の端末器に対応したタッチセンサー方式の１つ以上の操作部と；前記操作部に対する操作者の操作を検知し、検知結果に基づく端末告知制御信号を生成する処理部と；前記端末告知制御信号に基づいて前記操作者の操作状況を前記操作者に告知する告知手段とを具備したことを特徴とすることにより、操作者が操作の内容を認識することを容易にする。【選択図】図１
2010147013.tif 000002
【特許請求の範囲】
【請求項１】
照明器具を含む１つ以上の端末器に対応したタッチセンサー方式の１つ以上の操作部と；
前記操作部に対する操作者の操作を検知し、検知結果に基づく端末告知制御信号を生成する処理部と；
前記端末告知制御信号に基づいて前記操作者の操作状況を前記操作者に告知する告知手段と；
を具備したことを特徴とする監視端末器。
【請求項２】
前記処理部は、前記端末器と前記操作部とが未対応である場合には、未対応の前記操作部に対する操作者の操作に対して、未対応であることを示す告知を行うための端末告知制御信号を生成することを特徴とする請求項１に記載の監視端末器。
【請求項３】
前記処理部は、前記端末器が前記操作部の操作に対して応答することができない場合には、応答することができないことを示す告知を行うための端末告知制御信号を生成することを特徴とする請求項１に記載の監視端末器。
【請求項４】
前記処理部は、前記操作部に対する操作者の操作の検知レベルを判定することで、操作の途中経過を告知するための端末告知制御信号を生成することを特徴とする請求項１乃至３のいずれか１つに記載の監視端末器。
【請求項５】
照明器具を含む１つ以上の端末器を制御する中央制御装置と；
請求項１乃至４のいずれか１つに記載の監視端末器と；
を具備したことを特徴とする照明制御システム。
【発明の詳細な説明】
【技術分野】
【０００１】
本発明は、照明負荷を遠隔制御するための遠隔制御用の監視端末器及び照明制御システムに関する。
【背景技術】
【０００２】
従来、例えば、オフィスビルや各種施設などでは、各フロアや各エリアなどの照明エリア毎に設置される照明器具を遠隔制御する照明制御システムが採用されることがある。照明制御システムは、各照明器具等の端末器を制御する中央処理装置を有する。端末器としては、各種照明器具の外、遠隔制御用の監視端末器、人感センサ等のセンサ端末器、ワイヤレス受信器があり、これらの端末器は、伝送線を介して中央処理装置に接続されている。
【０００３】
この種の照明制御システムについては特許文献１に開示されている。特許文献１の提案では、照明器具からの送信データは中央処理装置に与えられ、中央処理装置において、照明器具の状態が制御されるようになっている。
【０００４】
このような照明制御システムにおいては、操作者による照明器具に対する各種操作は、遠隔制御用の監視端末器を用いて行うことができる。監視端末器は各照明器具に対応した操作スイッチ等を備えており、操作者のスイッチ操作に応じた信号を中央処理装置に出力することができるようになっている。中央処理装置は、監視端末器からの信号に応じて各照明器具を制御するようになっている（例えば、特許文献１参照）。
【０００５】
ところで、従来の監視端末器において採用されるスイッチとしては、プッシュ式のスイッチ等がある。プッシュ式スイッチ等は、操作者の操作によって物理的な作用を受けることで、切換え操作が行われる。これに対し、操作者がスイッチ操作面を触れるだけで、操作の有無を検出することができる静電容量型のタッチスイッチが知られている。
【特許文献１】特開平５−９１５６８号公報
【発明の開示】
【発明が解決しようとする課題】
【０００６】
しかしながら、物理的な作用によって操作を検出するスイッチでは、通常、操作者は、操作時にクリック感を感じることができる。これに対し、タッチスイッチでは、操作者は、単にスイッチ操作面に触れるだけであり、クリック感等を感じることはできず、自分が正しく操作したか否かの確認が困難であった。このため、再度無駄な操作を試みることもあり、誤操作しやすいという問題があった。
【０００７】
本発明はかかる問題点に鑑みてなされたものであって、操作に応じた告知を行うことにより、操作者が操作した操作内容を容易に認識することができる監視端末器及び照明制御システムを提供することを目的とする。
【課題を解決するための手段】
【０００８】
本発明の請求項１に係る監視端末器は、照明器具を含む１つ以上の端末器に対応したタッチセンサー方式の１つ以上の操作部と；前記操作部に対する操作者の操作を検知し、検知結果に基づく端末告知制御信号を生成する処理部と；前記端末告知制御信号に基づいて前記操作者の操作状況を前記操作者に告知する告知手段とを具備したことを特徴とする。
【０００９】
本発明の請求項２に係る監視端末器は、前記処理部は、前記端末器と前記操作部とが未対応である場合には、未対応の前記操作部に対する操作者の操作に対して、未対応であることを示す告知を行うための端末告知制御信号を生成することを特徴とする。
【００１０】
本発明の請求項３に係る監視端末器は、前記処理部は、前記端末器が前記操作部の操作に対して応答することができない場合には、応答することができないことを示す告知を行うための端末告知制御信号を生成することを特徴とする。
【００１１】
本発明の請求項４に係る監視端末器は、前記処理部は、前記操作部に対する操作者の操作の検知レベルを判定することで、操作の途中経過を告知するための端末告知制御信号を生成することを特徴とする。
【００１２】
本発明の請求項５に係る照明制御システムは、照明器具を含む１つ以上の端末器を制御する中央制御装置と；請求項１乃至４のいずれか１つに記載の監視端末器と；を具備したことを特徴とする。
【発明の効果】
【００１３】
本発明の請求項１，５によれば、操作に応じた告知を行うことにより、操作者が操作した操作内容を容易に認識することができるという効果を有する。
【００１４】
本発明の請求項２によれば、未対応の操作部に対する操作であることを告知することにより、未対応の操作部に対する操作であるか誤操作であるかが認識可能となる。
【００１５】
本発明の請求項３によれば、端末器が応答することができないことを告知することにより、端末器が応答不可能であるか否かが認識可能となる。
【００１６】
本発明の請求項４によれば、操作者の操作の途中経過を告知することが可能となる。
【発明を実施するための最良の形態】
【００１７】
以下、図面を参照して本発明の実施の形態について詳細に説明する。
【００１８】
図１は本発明の第１の実施の形態に係る監視端末器を示すブロック図である。また、図２は図１の監視端末器が組込まれた照明制御システムの構成を示す構成図である。
【００１９】
先ず、図２を参照して、本実施の形態の監視端末器が用いられる照明制御システムの一例について説明する。
【００２０】
図２に示す照明制御システムは、例えば、オフィスビルや各種施設などの各フロアや各エリアなどの照明エリア毎に設置される複数の照明器具を遠隔制御すると共に、遠隔監視して複数の照明器具及びその照明負荷を集中制御するものである。照明負荷としては、例えば、ランプや発光ダイオードなどの光源が用いられる。
【００２１】
図２において、照明制御システムは、中央処理装置１を有している。中央処理装置１には、伝送線２を介して制御端末器３、後述する遠隔制御用の監視端末器１０、センサ端末器４、ワイヤレス受信器５、６、人感センサ７が接続される。また、照明制御システムには、ワイヤレス受信器５に対して赤外線で信号を送信するワイヤレス送信器８及びワイヤレス受信器６に対して赤外線で信号を送受するワイヤレス送受信器９が設けられている。
【００２２】
中央処理装置１は、本システムを統括的に制御するもので、マイクロコンピュ−タを備えて構成されている。中央処理装置１は、遠隔制御用の監視端末器１０と制御端末器３に接続されている照明負荷との対応関係（割付け）等を記憶するメモリ（図示せず）を有している。
【００２３】
また、中央処理装置１は、アドレス設定モ−ドでの動作が可能であり、アドレス設定モードにおいて、各端末器の固有のアドレスを設定することができるようになっている。また、中央処理装置１は、アドレスを設定するための図示しないアドレス設定入力部及びそのアドレスを表示する表示部（図示省略）を有している。
【００２４】
制御端末器３は、例えば４回路の照明負荷を接続可能である。このような制御端末器３が伝送線２に複数接続されている。なお、照明負荷は、例えば照明器具を構成している。
【００２５】
センサ端末器４は、例えば周囲が暗くなると照明負荷を点灯させるための端末器である。このセンサ端末器４は、マイクロコンピュ−タを有して構成されており、図示しない伝送インタフェ−スを介して伝送線２に接続される。また、センサ端末器４は、光を検出するセンサ部、表示部及びセンサ端末器４のアドレスデ−タを記憶するメモリ（図示省略）を有している。
【００２６】
ワイヤレス送信器８は、照明負荷の点灯／消灯情報を例えば赤外線でワイヤレス受信器５に送信する。このワイヤレス送信器８は、マイクロコンピュ−タ、伝送線２に接続可能とする伝送インタフェ−ス、照明制御情報を赤外線で送信する赤外線送信部及びワイヤレス送信器８のアドレスデ−タを記憶するメモリ（図示省略）を有して構成されている。
【００２７】
ワイヤレス送受信器９は、照明負荷の点灯／消灯情報等をワイヤレス受信器６間で赤外線で送受信するための端末器である。このワイヤレス送受信器９は、マイクロコンピュ−タ、赤外線を送信する赤外線送信部、赤外線を受信する赤外線受信部、照明負荷を点灯／消灯制御するための操作ボタン及びワイヤレス送信器９のアドレスデ−タを記憶するメモリ（図示省略）を有して構成されている。
【００２８】
人感センサ７は、人の存在を検知して照明負荷を点灯制御するための端末器である。この人感センサ７は、マイクロコンピュ−タを備えて構成され、図示しない伝送インタフェ−スを介して伝送線２に接続される。さらに、この人感センサ７は、人の存在を人から放射される赤外線を検知する赤外線検出部及び人感センサ７のアドレスデ−タを記憶するメモリ（図示省略）を有して構成されている。
【００２９】
ワイヤレス受信器５は、ワイヤレス送信器８から送信される赤外線信号を受信する。このワイヤレス受信器５は、マイクロコンピュ−タを備えて構成され、図示しない伝送インタフェ−スを介して伝送線２に接続される。また、このワイヤレス受信器５には、ワイヤレス受信器６のアドレスデ−タを記憶するアドレス設定部及び赤外線を受信する赤外線受信ユニット（図示省略）が設けられている。尚、ワイヤレス受信器６は、赤外線を送信可能とするための図示しない赤外線送信ユニットを有している。
【００３０】
遠隔制御用の監視端末器１０は、例えば壁スイッチのように照明負荷を遠隔操作で点灯／消灯制御、及び監視制御するものである。
【００３１】
このような遠隔制御システムは、中央処理装置１によって、制御端末器３、センサ端末器４、遠隔制御用監視端末器１０等のアドレス設定や、中央処理装置１内のメモリ（図示しない）内に格納するデータの設定を行うことができると共に、遠隔制御用の監視端末器１０によって照明負荷の点灯／消灯制御が可能である。
【００３２】
図１は遠隔制御用の監視端末器１０の具体的な回路構成を示している。図３は監視端末器１０の操作パネル２０ａの外観を示す平面図である。また、図４は図１中のタッチ操作部２０の具体的な構成の一例を示す説明図である。
【００３３】
図１に示すように、監視端末器１０は、タッチ操作部２０を有している。タッチ操作部２０は、タッチ処理部３０に制御されて、操作者の操作を検知して、検知信号をタッチ処理部３０に出力する。タッチ操作部２０としては、例えば、静電容量型のセンサによって構成することができる。タッチ操作部２０は、例えば、複数の操作部２２ａ〜２２ｄ（以下、代表して操作部２２という）（図３参照）を有し、各操作部２２に対する各種操作を個々に検出することができるようになっている。
【００３４】
図４に示すように、タッチ操作部２０はタッチ基板２４上に構成される。タッチ基板２４上には、複数の電極２６が配設されている。各電極２６は夫々細長い形状を有し、静電容量の変化を検出して、検出結果を図示しない信号線を介して出力することができるようになっている。各電極２６は、複数の電極毎に区分けされ、各区分上に夫々タッチパネル２３ａ〜２３ｄが設けられている。なお、図４では各電極２６を４つの区分に分けて、４つのタッチパネル２３ａ〜２３ｄを設けた４つの操作部２２ａ〜２２ｄを構成した例を示したが、構成するタッチパネル（操作部）の数及びサイズは、適宜設定可能である。なお、タッチパネル２３ａ〜２３ｄは、例えば、透明なアクリル板等を用いて構成され、タッチ基板２４の表面に貼着される。
【００３５】
タッチ処理部３０は、タッチ操作部２０に対する各種操作の検知結果が与えられ、検知結果に基づいて操作の内容を判別する。例えば、タッチ処理部３０は、操作部２２ａ〜２２ｄのいずれの操作部が操作されたかを検出することができ、操作を検出した操作部に対応する操作信号を発生することができる。タッチ処理部３０は、判別した操作の内容に応じた操作信号を伝送処理部３１に出力すると共に、判別した操作の状況に応じて表示部１９の表示を制御するための端末告知制御信号である端末表示制御信号を生成して伝送処理部３１に出力する。
【００３６】
なお、タッチ操作部２０に対する操作の内容及び状況の判別方法は、設定端子１６ａを介して操作者が設定することができるようになっている。例えば、操作者は、タッチ操作部２０における複数の操作部２２の検出エリアの割り当てやスイッチ機能を自由に変更することができるようになっている。
【００３７】
例えば、タッチ処理部３０は、複数の電極２６のうちのいずれの区分の電極を操作部２２ａ〜２２に夫々割り当てるかを設定することで、いずれの操作部２２が操作されたかの検出エリアを適宜設定可能である。これにより、共通のタッチ基板等を用いタッチパネルのみを変更するだけで、構成する操作部の数等を適宜変更することが可能である。
【００３８】
なお、本実施の形態においては、各操作部２２ａ〜２２ｄに夫々複数の電極２６を割り当てたが、１つの操作部に１つの電極のみを割り当てるようにしてもよい。
【００３９】
伝送処理部３１は、タッチ処理部３０からの操作信号を伝送信号として伝送線２を介して中央処理装置１に供給するようになっている。また、伝送処理部３１には、中央処理装置１から伝送線２を介して各種制御信号が供給される。伝送処理部３１は、中央処理装置１からの制御信号をタッチ処理部３０に供給する。タッチ処理部３０は中央処理装置１からの制御信号に基づいて処理が制御可能に構成されている。
【００４０】
また、伝送処理部３１には、中央処理装置１から表示制御信号も供給される。伝送処理部３１は、表示制御信号に基づいて表示部１９の表示を制御する。更に、本実施の形態においては、伝送処理部３１は、タッチ制御部３０からの端末表示制御信号に基づいて、表示部１９の表示を制御するようになっている。これにより、タッチ処理部３０が判定した操作の状況を表示部１９によって表示させることができるようになっている。
【００４１】
表示部１９としては、種々の表示方法を採用することができる。例えば、図３では、表示部１９として、ＬＥＤ表示部２５Ｂａ〜２５Ｂｄ（以下、以下代表して２５Ｂという）及びＬＥＤ表示部２５Ｒａ〜２５Ｒｄ（以下、代表して２５Ｒという）を採用した例を示している。ＬＥＤ表示部２５Ｂａ，２５Ｒａ〜ＬＥＤ表示部２５Ｂｄ，２５Ｒｄは、夫々操作部２２ａ〜２２ｄに対応する。ＬＥＤ表示部２５Ｒ，２５Ｂは、伝送処理部３１に制御されて、点灯、点滅及び消灯するようになっている。
【００４２】
電源部３２は、中央処理装置１から伝送線２を介して伝送された電圧信号に基づき、監視端末器１０を駆動するのに必要な電力を得て、各ブロックに電力を供給するようになっている。
【００４３】
次に、このように構成された実施の形態の作用について図５を参照して説明する。図５は第１の実施の形態の動作を説明するためのフローチャートである。
【００４４】
伝送処理部３１には、中央処理装置２から表示制御信号が供給される。中央処理装置２は、監視端末器１０のタッチ操作部２０の各操作部２２ａ〜２２ｄと伝送線２に接続された各端末器との対応関係の情報を保持している。例えば、中央処理装置２は、制御端末器３に接続された複数の照明負荷と操作部２２ａ〜２２ｄとの対応関係の情報を保持しており、これらの照明負荷の状態についての情報も保持している。中央処理装置２は、各照明負荷の状態に応じた表示制御信号を伝送線２を介して監視端末器１０に供給する。
【００４５】
監視端末器１０はの伝送処理部３１は、表示制御信号が与えられると、表示制御信号に基づいて表示部１９を構成するＬＥＤ表示部２５Ｂａ，２５Ｒａ〜２５Ｂｄ，２５Ｒｄの表示を制御する。例えば、ＬＥＤ表示部２５Ｂａ〜２５Ｂｄは緑色で点灯し、ＬＥＤ表示部２５Ｒａ〜２５Ｒｄは赤色で点灯するもとする。この場合には、伝送処理部３１は、ＬＥＤ表示部２５Ｂａ，２５Ｒａ〜２５Ｂｄ，２５Ｒｄを制御して、操作部２２ａ〜２２ｄに対応する照明負荷のオン時に赤色のＬＥＤを点灯させ、オフ時に緑色のＬＥＤを点灯させる。
【００４６】
（タッチパネル操作時の動作）
操作者が、タッチ操作部２０の各タッチパネル２３ａ〜２３ｄを指で触れるものとする。タッチ操作部２０は操作者が触れたタッチパネルを検知して検知信号をタッチ処理部３０に与える。タッチ処理部３０は、検知信号に基づいて操作部２２ａ〜２２ｄのいずれの操作部が操作されたかを判定し、その操作部に対応する操作信号を出力する。
【００４７】
いま、操作者がタッチパネルを指で触れる毎に、タッチ処理部３０から照明負荷を点灯から消灯へ又は消灯から点灯へ変化させるための操作信号が出力されるものとする。タッチ検出部２０は、この操作に対して、図５のステップＳ１において、各電極２６によって静電容量の変化を検出する。タッチ処理部３０は静電容量の変化の検知結果に基づいて、操作部２２ａ〜２２ｄのうちいずれの操作部を操作者が操作したかを判定すると共に、操作の状況を判定する。
【００４８】
本実施の形態においては、タッチ処理部３０は、操作者の操作の状況の判定結果に応じた端末表示制御信号を生成して伝送処理部３１に出力する。伝送処理部３１は、端末表示制御信号に基づいて表示部１９の表示を制御する。これにより、表示部１９において操作状況の表示が可能である。
【００４９】
例えば、表示部１９は、ＬＥＤ表示部２５Ｂ，２５Ｒの点灯を、通常の点灯状態とは異なる状態とすることで、操作者が当該操作部を操作中であることを知らせることができる。例えば、操作部２２ｂに対応するＬＥＤ表示部２５Ｂｂが点灯中である場合において、操作者がタッチパネル２３ｂの表面を触れると、ＬＥＤ表示部２５Ｂｂを点滅させるのである。この点滅表示により、操作者は、正しくタッチパネル２３ｂを操作中であることを認識することができる。
【００５０】
次のステップＳ５において、タッチ処理部３０は操作者の操作に基づく操作信号を伝送処理部３１に出力する。この操作信号は中央処理装置２に供給され、中央処理装置２は受信した操作信号に応じて、照明負荷の状態を変更すると共に、この変更に応じた表示制御信号を監視端末器１０に送信する。
【００５１】
監視端末器１０の伝送処理部３１は、ステップＳ６において表示制御信号を受信する。伝送処理部３１は、受信した表示制御信号に基づいて表示部１９を制御して照明負荷の状況表示を行う（ステップＳ７）。これにより、表示部１９は照明負荷の状態に応じた点灯状態となる。例えば、操作部２２ｂが操作された場合には、ＬＥＤ表示部２５Ｂｂは点滅状態から消灯状態に移行し、ＬＥＤ表示部２５Ｒｂが消灯状態から点灯状態に移行する。
【００５２】
なお、上述したように、操作状況の表示方法としては種々の方法が考えられる。例えば、上記説明では、操作者が操作部２２を操作中であることを、現在点灯中の対応するＬＥＤを点滅させることで示したが、操作によって点灯するＬＥＤを点滅させるようにしてもよい。即ち、操作状況の表示としては、通常の表示状態とは異なる表示、例えば、照明負荷の照明状態の状況表示とは異なる表示を行えばよい。
【００５３】
また、操作者が当該操作部を操作中であることを知らせる表示は操作者がタッチパネル２３ｂを触れている期間において行い、中央処理装置２から送信された変更に応じた表示制御信号を受信したときに表示部２２を通常の点灯表示となるように切り替えてもよい。
【００５４】
中央処理装置２から送信される表示制御信号は操作してから受信するまでに時間を要するが、上述したように、操作者の操作に基づいて操作中であることを表示制御信号を受信するときまで表示することによって、操作されたことを短時間で確実に操作者に告知することができる。
【００５５】
（未設定時の動作）
ところで、上述したように、各操作部２２と各照明負荷とは、中央処理装置２において対応付け（割付け）られている。これにより、各操作部２２の操作によって、対応する照明負荷を点灯制御することが可能であると共に、各照明負荷に対応したＬＥＤ表示部２５Ｂ，２５Ｒを点灯制御することが可能である。
【００５６】
しかしながら、操作部２２のうちの全ての操作部に割付けが行われていないことがある。このような未設定（未割付）の操作部２２に対応するＬＥＤ表示部２５Ｂ，２５Ｒは消灯状態であり、また、未設定の操作部２２を操作しても通常何らの反応もない。この場合でも、操作部２２に対する操作時にクリック感がないことから、非割付によってＬＥＤが消灯しているのか、操作ミスによって消灯しているのかの判定が困難である。
【００５７】
そこで、本実施の形態においては、このような未設定時においても、操作状況を表示することができるようになっている。即ち、この場合には、ステップ３において、タッチ処理部３０は、未設定の操作部２２を操作したことを示す端末表示制御信号を出力する。伝送処理部３１はこの端末表示制御信号に基づいて、表示部１９に未設定の操作部２２に対して操作が行われたことを示す操作状況の表示を表示させる。
【００５８】
例えば、未設定の操作部２２に対応する操作があった場合には、対応する消灯中のＬＥＤ表示部２５Ｂ，２５Ｒを交互に点滅させるようにしてもよい。この交互点滅表示によって、操作者は、非割付によってＬＥＤが消灯しているのか、操作ミスによって消灯しているのか、あるいは通電されていないこと等を認識することができる。
【００５９】
なお、所定時間経過後は未設定である旨の表示は消灯させてもよい。
【００６０】
（中央処理装置の非応答時の動作）
ところで、上述したように、監視端末器１０からの操作信号は、中央処理装置２に供給されて処理され、中央処理装置２から各種制御信号が監視端末器１０に戻される。この場合において、中央処理装置２がビジー状態になった等の理由から、中央処理装置２から制御信号が監視端末器１０に戻されないことがある。この場合には、操作者が操作した操作部２２に対応するＬＥＤ表示部２５Ｂ，２５Ｒの表示状態は変化せず、操作者は、中央処理装置２のビジー等の理由で表示が変化しないのか、操作ミスによって表示が変化しないのかの判定が困難である。
【００６１】
そこで、本実施の形態においては、中央処理装置２からの応答がない場合においても、操作状況を表示することができるようになっている。即ち、通常、伝送処理部３１は伝送路２の伝送状況を監視しており、中央処理装置２がビジー等の理由により応答を返さないことを認識することができる。伝送処理部３１は、中央処理装置２からの応答が返らない場合には、端末表示制御信号に基づく操作状況表示に代えて、無応答を示す操作状況表示を表示部１９に表示させるようになっている。
【００６２】
例えば、伝送処理部３１は、所定の操作部２２に対する応答がない場合には、操作した操作部２２に対応したＬＥＤ表示部２５Ｂ，２５Ｒを、比較的高速に交互点滅させるようにしてもよい。この高速交互点滅表示によって、操作者は、中央処理装置２がビジー状態によってＬＥＤ表示が変化しないのか、操作ミスによってＬＥＤ表示が変化しないのかを認識することができる。
【００６３】
このように本実施の形態においては、操作に応じた表示を行うことにより、操作者が操作した操作内容を容易に認識することができる。これにより、操作者の誤操作を防ぐことが可能である。なお、上記実施の形態におては、操作者の操作状況をＬＥＤ表示によって表示する例を示したが、他の表示方法を採用してもよく、更に、音声等により操作状況を操作者に告知するようにしてもよい。
【００６４】
また、操作状況の表示は、照明負荷の状況表示用のＬＥＤを利用したが、操作状況表示用の表示部を別途設けてもよいことは明らかである。また、例えば、システムのエラーであることを示す表示部が別途設けてあってもよい。
【００６５】
図６は本発明の第２の実施の形態を示すフローチャートである。図６において図５と同一のステップには同一符号を付して説明を省略する。本実施の形態はタッチ処理部の処理が第１の実施の形態と異なるのみであり、ハードウェア構成は図１と同様である。
【００６６】
本実施の形態におけるタッチ処理部３０は、操作者の操作状況として、操作者の操作の過程を検出することができるようになっている。タッチ操作部２０を例えば静電容量型のセンサによって構成すると、タッチ操作部２０は、操作者が指をタッチパネル２３ａ〜２３ｄに近づけただけで、操作者の指による静電容量の変化を検出することが可能である。この場合には、指と各電極２６との距離に応じて異なるレベルの検知結果が得られる。タッチ処理部３０は、タッチ操作部２０による検知結果を複数の閾値レベルと比較することで、操作者の操作過程の状況を認識することができる。
【００６７】
例えば、タッチ処理部３０は、ステップＳ１１，Ｓ１４において、タッチ操作部２０の検知結果を第１の閾値レベル及びこの第１の閾値レベルよりも高いレベルの第２の閾値レベルと比較する。タッチ処理部３０は、タッチ操作部２０の検知結果が第１の閾値レベルを超えることにより、操作者が指を電極２６（タッチパネル２３ａ〜２３ｄ）のいずれかに近接させたものと判定して、第１の閾値判定に基づく端末表示制御信号を出力する（ステップＳ１２）。更に、タッチ処理部３０は、検知結果が第２の閾値レベルを超えることにより、操作者が指でタッチパネル２３ａ〜２３ｄのいずれかを操作したものと判定して、第２の閾値判定に基づく端末表示制御信号を出力する（ステップＳ１５）。
【００６８】
タッチ処理部３０は各判定結果に応じた端末表示制御信号を伝送処理部３１に出力する。例えば、タッチ処理部３０は、検知結果が第１の閾値レベルを超えると、図３のＬＥＤ表示部２５Ｂ，２５Ｒを交互点滅させ、検知結果が第２の閾値レベルを超えると、ＬＥＤ表示部２５Ｂ，２５Ｒの点灯中のＬＥＤを点滅させるための端末表示制御信号を出力してもよい。
【００６９】
次に、このように構成された実施の形態の動作について図７及び図８の説明図を参照して説明する。図７及び図８は人の指と各操作部２０との位置関係及び各位置における検知レベルを示している。
【００７０】
いま、図７に示すように、人が指４０を操作部２２中の操作部２２ｃに近づけるものとする。タッチ操作部２０は指４０が電極２６に近づくにつれて、レベルが高くなる検知結果をタッチ処理部３０に出力する。図７は各電極２６によって得られる検知レベルを示している。図７に示すように、指４０に最も近い電極ほど検知レベルが高くなっている。
【００７１】
タッチ処理部３０は、タッチ操作部２０の検知レベルが第１の閾値ＳＬを超えたか否かを判定する（ステップＳ１１）。図７に示すように、指４０が操作部２２ｃの近くに到達することによって、検知レベルが第１の閾値ＳＬを超えるので、タッチ処理部３０は、操作者が操作部２２ｃに対する操作の途中であるものと判定して、第１の閾値判定に応じた端末表示制御信号を伝送処理部３１に出力する（ステップＳ１２）。これにより、例えば、ＬＥＤ表示部２５Ｂｃ，２５Ｒｃは交互に点滅を開始する（ステップＳ１３）。
【００７２】
更に、指４０が、図８に示すように、タッチパネル２３ｃに十分近い位置まで到達すると、図８に示すように、指４０に近い操作部２２ｃに対応した電極２６による検知レベルは、極めて高くなる。これにより、タッチ操作部２０からの検知レベルは第２の閾値ＳＨを超える。そうすると、タッチ処理部３０は、操作者が操作部２２ｃに対して操作を開始したものと判定して、第２の閾値判定に応じた端末表示制御信号を伝送処理部３１に出力する（ステップＳ１５）。これにより、ＬＥＤ表示部２５Ｂｃ，２５Ｒｃの一方が点滅を開始する（ステップＳ４）。
【００７３】
このように、本実施の形態においては、操作者の操作の過程に応じた操作状況の表示が可能である。操作者は操作状況の表示を確認しながら操作を行うことで、確実な操作が可能となる。
【００７４】
なお、本実施の形態においても、操作過程を示す操作状況の表示としては、通常とは異なる表示、例えば照明負荷の状況表示と異なる表示方法であれば、種々の方法を採用することができる。また、操作過程を示す操作状況表示用の表示部を別途設けてもよいことは明らかであり、更に、操作過程を音声等によって操作者に告知するようにしてもよい。
【００７５】
なお、上記各実施の形態においては、中央処理装置によって各端末を制御する照明制御システムに適用した例について説明したが、監視端末器が直接照明器具等を制御する場合にも本発明を同様に適用可能である。また、各表示手段、表示方法を適宜組み合わせて構成してもよい。また、タッチ操作部は複数の照明器具等の各端末器に対応した複数の操作部を有するものとして説明したが、１つの端末器に対応する１つの操作部のみを有するものにも同様に適用可能である。
【図面の簡単な説明】
【００７６】
【図１】本発明の第１の実施の形態に係る監視端末器を示すブロック図。
【図２】図１の監視端末器が組込まれた照明制御システムの構成を示す構成図。
【図３】監視端末器１０の操作パネル２０ａの外観を示す平面図。
【図４】図１中のタッチ操作部２０の具体的な構成の一例を示す説明図。
【図５】第１の実施の形態の動作を説明するためのフローチャート。
【図６】本発明の第２の実施の形態を示すフローチャート。
【図７】第２の実施の形態の動作を説明するための説明図。
【図８】第２の実施の形態の動作を説明するための説明図。
【符号の説明】
【００７７】
１０…監視端末器
１９…表示部
２０…タッチ操作部
３０…タッチ処理部
３１…伝送処理部
【図１】
2010147013.tif 000003
【図２】
2010147013.tif 000004
【図３】
2010147013.tif 000005
【図４】
2010147013.tif 000006
【図５】
2010147013.tif 000007
【図６】
2010147013.tif 000008
【図７】
2010147013.tif 000009
【図８】
2010147013.tif 000010